(57)【要約】【課題】立ちはぜ折板屋根Ｒの上に緑化基盤材Ａ（単位緑化基盤材１０）を安定的に固定し、それを利用して立ちはぜ折板屋根緑化構造体を造る。【解決手段】屋立ちはぜ折板屋根Ｒの山形部１の頂部に形成される突条（立ちはぜ）４に、幅の広い挟持先端部６２を持つクランプ６０を固定する。該クランプ６０に対して、緑化基盤材Ａの取り付け孔のＸ方向ピッチＰ１と同じピッチでボルト２２を立設した第１の固定用治具２０を固定し、該ボルト２２を利用して緑化基盤材Ａを固定する。突条（立ちはぜ）４の軒先方向（Ｙ方向）のピッチＰａが緑化基盤材Ａの取り付け孔のＹ方向ピッチＰ２と異なる場合には、調整機能を持つ第２の固定用治具３０を仲介して第１の固定用治具２０に取り付け、Ｙ方向のピッチ合わせを行った後、緑化基盤材Ａを固定する。固定した緑化基盤材Ａの上に植生マット５４などを配置する。【選択図】図６
2007332603.tif 000002
【特許請求の範囲】
【請求項１】
屋根勾配方向であるＸ方向に走る山形部が軒先方向であるＹ方向に所定ピッチＰａで連続しており、該山形部には屋根板を連接したときの突条が屋根勾配方向に走っている立ちはぜ折板屋根の上に緑化基盤材を固定する固定構造であって、
前記突条を左右から挟み付ける一対のクランプ片からなるクランプを少なくとも突条の２箇所に固定し、該固定したクランプを利用してＸ方向に伸びる長尺状の第１の固定用治具を取り付け、該第１の固定用治具に対して緑化基盤材を固定することを特徴とする立ちはぜ折板屋根への緑化基盤材の固定構造。
【請求項２】
緑化基盤材は、取り付け孔を前記Ｘ方向にピッチＰ１、前記Ｙ方向にピッチＰ２で有しているものであり、前記第１の固定用治具は該緑化基盤材のＸ方向のピッチＰ１と同じピッチＰ１でボルトを立設した長尺状の固定用治具であり、前記ボルトを利用して緑化基盤材は第１の固定用治具に固定されていることを特徴とする請求項１に記載の立ちはぜ折板屋根への緑化基盤材の固定構造。
【請求項３】
一端に、突条に固定したクランプに自由度をもった状態で係合しうる係止孔を有しており、他端は第１の固定用治具に固定できるようになっている第２の固定用治具をさらに用い、緑化基盤材は該第２の固定用治具に固定された第１の固定用治具のボルトを利用して固定されていることを特徴とする請求項２に記載の立ちはぜ折板屋根への緑化基盤材の固定構造。
【請求項４】
第２の固定用治具の他端も第１の固定用治具との間で固定位置を調整できるような形状とされている第２の固定用治具を用いることを特徴とする請求項３に記載の立ちはぜ折板屋根への緑化基盤材の固定構造。
【請求項５】
立ちはぜ折板屋根には嵩上げ材が配置されており、第１の固定用治具は該嵩上げ材の上に配置されており、第２の固定用治具は、嵩上げ材が配置されない箇所において、一端を前記突条に固定したクランプに固定し、他端を第１の固定用治具に固定していることを特徴とする請求項３または４に記載の立ちはぜ折板屋根への緑化基盤材の固定構造。
【請求項６】
請求項１ないし５のいずれかに記載の立ちはぜ折板屋根への緑化基盤材の固定構造により固定された緑化基盤材の上に植物が植生されていることを特徴とする立ちはぜ折板屋根緑化構造体。
【請求項７】
緑化基盤材は保水排水基盤材であり、その上に直接または不織布を介して植裁マットが敷かれていることを特徴とする請求項６に記載の立ちはぜ折板屋根緑化構造体。
【請求項８】
植裁マットの上にネットがかけられており、該ネットは第１の固定用治具に取り付けたボルトを利用して留め付けられていることを特徴とする請求項７に記載の立ちはぜ折板屋根緑化構造体。
【発明の詳細な説明】
【技術分野】
【０００１】
本発明は、山形部が所定ピッチで連続している構造を備えた折板屋根、特に、屋根板を連接したときの丸みを持つ突条が山形部の頂部を屋根勾配方向に走っている、いわゆる立ちはぜ折板屋根に対して緑化基盤材を安定して固定するための固定構造と、その固定構造を用いた立ちはぜ折板屋根緑化構造体に関する。
【背景技術と問題点】
【０００２】
発泡樹脂などで造られた緑化基盤材を屋根や屋上に固定し、その上に植栽マットなどを敷設して、屋上を緑化することが行われる。緑化基盤材は保水性と排水性を備えており、雨水あるいは給水を保水しておき、植裁マットの植物に対し生長に必要な水分を与える。このような緑化基盤材の一例が、特許文献１，２などに示される。屋上緑化に際し、緑化基盤材を屋根や屋上である支持基盤に安定的に固定することが必要となる。そのために、特許文献２に記載のように、緑化基盤材には縦横の双方向に一定ピッチで取り付け孔が形成され、一方、支持基盤側には、適宜の方法によりその取り付け孔のピッチに合うようにして固定的にボルトが立てられる。所要枚数の緑化基盤材を、その取り付け孔にボルトを貫通させながら屋根あるいは屋上に敷設し、ナットで締め付けて安定的に固定するようにした緑化基盤材の固定構造が多く採用されている。
【０００３】
緑化基盤材を設置する屋根や屋上の面が平坦面の場合には、緑化基盤材の取り付け孔のピッチにあわせて縦横双方向に固定的にボルトが立てることは容易であり、緑化基盤材の設置に格別の問題はない。
【０００４】
しかし、図１に示すような立ちはぜ折板屋根、すなわち、屋根勾配方向であるＸ方向に走る山形部１が軒先方向であるＹ方向に所定ピッチＰａで連続しており、該山形部１の頂部２には屋根板３を連接したときの丸みを持つ突条（立ちはぜ）４が屋根勾配方向に走っている立ちはぜ折板屋根の上に緑化基盤材を安定的に固定することは、次の理由から容易でない。
【０００５】
理由の一つは、立ちはぜ折板屋根は、図１ｂに断面を示すように、左右の立ち上がり縁の上端部に互いに係合（はぜ継ぎ）する湾曲部３ａ，３ｂを形成した長尺状の屋根板３を、隣接する屋根板３，３の湾曲部同士を係合させながら、梁５の上に専用の取り付け具６を利用して固定するようにしており、前記のように山形部２の頂部には軒先方向に一定ピッチＰａで屋根勾配方向に走る突条４は形成されるものの、緑化基盤材を固定するためのボルトなどは屋根面に存在しないからである。
【０００６】
その不都合を解消するために、特許文献３には、図１３に示すように、ボルト７を立設した取り付け具８をネジ９を用いて突条（立ちはぜ）４に必要数だけ固定し、そのボルト７を利用して植裁層や植裁マット５４を立ちはぜ折板屋根に固定することが記載されている。このような取り付け具８を用いることにより突条（立ちはぜ）４の任意の位置にボルトを立設することが可能となる。しかし、この取り付け具８はネジ９の先端を突条（立ちはぜ）４の下方部に当接して締め付け固定する形状であり、ネジ９の先端の突条（立ちはぜ）４に対する接地面積が小さいために、安定した固定態様が得られない。また、強くネジを締め付けると突条（立ちはぜ）４を傷つけることになる。
【０００７】
立ちはぜ折板屋根の上に緑化基盤材を固定する際に生じるもう一つの不都合は、緑化基盤材に形成される取り付け孔の縦横方向（前記ＸおよびＹ方向）のピッチＰ１，Ｐ２と、前記のようにして立設したボルト７のＸおよびＹ方向のピッチを一致させることが困難なことである。特許文献３に記載の方法では、Ｘ方向のピッチについては、Ｘ方向のピッチを固定しようとする植裁基盤材に形成される取り付け孔のＸ方向のピッチＰ１に一致させるようにして取り付け具８を突条（立ちはぜ）４に取り付けることにより、一応は解消できる。しかし、一つの取り付け具８を取り付ける毎に、ピッチＰ１に相当する距離を計測することは容易でない。また、突条（立ちはぜ）４のＹ方向のピッチと緑化基盤材に形成される取り付け孔の横方向（Ｙ方向）のピッチＰ２は通常不一致であり、そのままでは、特許文献３に記載のような取り付け具８を用いても、立ちはぜ折板屋根の上に緑化基盤材を安定的に取り付けることはできない。
【０００８】
また、一般に、屋上に設置することを目的とする緑化基盤材は軽量化が必要であり、多くの場合、強度としては圧縮強度さえ満足していれば問題がないため、通常、保水量と排水量に従って極力薄く設計されており、大きな曲げ強度は備えない。しかし、特許文献３に記載のような取り付け具８を用いて立ちはぜ折板屋根の上に緑化基盤材を固定する場合には、取り付け具８の面積だけで緑化基盤材を支持することとなるので、曲げ強度に不足が生じる恐れがある。
【０００９】
本発明は、上記のような事情に鑑みてなされたものであり、第１の目的は、緑化基盤材を固定するのに利用されるボルトなどの部材を立ちはぜである突条を利用して安定的に立設できるようにした立ちはぜ折板屋根への緑化基盤材の固定構造を提供することである。また、本発明の第２の目的は、緑化基盤材に形成される取り付け孔のＸ方向およびＹ方向のピッチＰ１，Ｐ２がどのようなものであっても、突条（立ちはぜ）を利用して立設したボルトを利用して、その緑化基盤材を立ちはぜ折板屋根の上に安定して取り付けることを可能とする立ちはぜ折板屋根への緑化基盤材の固定構造を提供することである。
【特許文献１】特開２００１−１６９６６５号公報
【特許文献２】特開２００４−２４０４５号公報
【特許文献３】特開２００５−６８８００号公報
【発明の開示】
【課題を解決するための手段】
【００１０】
上記第１の目的を達成するための立ちはぜ折板屋根への緑化基盤材の固定構造は、屋根勾配方向であるＸ方向に走る山形部が軒先方向であるＹ方向に所定ピッチＰａで連続しており、該山形部には屋根板を連接したときの突条が屋根勾配方向に走っている立ちはぜ折板屋根の上に緑化基盤材を固定する固定構造であって、前記突条を左右から挟み付ける一対のクランプ片からなるクランプを少なくとも突条の２箇所に固定し、該固定したクランプを利用してＸ方向に伸びる長尺状の第１の固定用治具を取り付け、該第１の固定用治具に対して緑化基盤材を固定することを特徴とする（請求項１）。
【００１１】
上記の固定構造では、立ちはぜ折板屋根に形成される立ちはぜである突条に固定するクランプとして、突条を左右から挟み付ける一対のクランプ片からなるものを用いる。一対のクランプ片で突条部分を挟持した状態とし、ネジ締めなどの手段により一対のクランプ片を締め付ける。それにより、左右一対のクランプ片が突条の両側を挟み付けた姿勢でクランプは突条部分に堅固に固定される。締め付け用のネジの先端が突条に当接することはないので、突条（立ちはぜ）が損傷を受けることもない。そのように堅固に固定されたクランプに対して、Ｘ方向に伸びる長尺状の第１の固定用治具を直接または後記するように第２の固定用治具を介し取り付け、該第１の固定用治具に対して緑化基盤材を固定するようにしているので、本発明による立ちはぜ折板屋根への緑化基盤材の固定構造では、安定した緑化基盤材の固定状態が得られる。
【００１２】
本発明において、緑化基盤材は従来の屋上緑化で用いられている緑化基盤材を任意に用いることができる。素材は軽量性と成形容易性の観点から発泡樹脂製が好ましいが、非発泡樹脂や発泡モルタルのような材料で造られていてもよい。緑化基盤材はその上に植裁シートのような緑化基材をそのまま収容する形態であってもよく、特許文献１に記載のように保水排水機能を備え、その上に、植裁シートのような緑化基材を載置する形態のものでもよい。また、緑化基盤材は一枚物でよく、複数枚の単位緑化基盤材を組み合わせて構成されるものであってもよい。
【００１３】
本発明の上記第２の目的を達成するための立ちはぜ折板屋根への緑化基盤材の固定構造は、上記の固定構造において、前記緑化基盤材は、その取り付け孔を前記Ｘ方向にピッチＰ１、前記Ｙ方向にピッチＰ２で有しているものであり、前記第１の固定用治具は該緑化基盤材のＸ方向のピッチＰ１と同じピッチＰ１でボルトを立設した長尺状の固定用治具であり、前記ボルトを利用して緑化基盤材は第１の固定用治具に固定されていることを特徴とする（請求項２）。
【００１４】
上記の固定構造において、立ちはぜである突条の前記Ｙ方向のピッチＰａが緑化基盤材に形成される取り付け孔のＹ方向のピッチＰ２と等しいか、その整数倍がピッチＰ２となる場合には、緑化基盤材の取り付け孔のピッチＰ２に一致する箇所の突条に前記クランプを固定し、固定したクランプに第１の固定用治具を直接取り付けることにより、該第１の固定用治具を利用して緑化基盤材を安定的に取り付けることができる。
【００１５】
しかし、前記したように、立ちはぜである突条のＹ方向のピッチＰａの整数倍が緑化基盤材の取り付け孔のＹ方向のピッチＰ２に一致しないのが通常であり、そのための対策として、本発明による立ちはぜ折板屋根への緑化基盤材の固定構造の他の態様では、一端に、前記突条に固定したクランプに自由度をもった状態で係合しうる係止孔を有し、他端は第１の固定用治具に固定できるようになっている第２の固定用治具をさらに用いる。そして、第２の固定用治具に固定した第１の固定用治具のボルトを利用して緑化基盤材を固定する（請求項３）。
【００１６】
このように、突条に固定したクランプに自由度をもった状態で係合しうる第２の固定用治具を用い、該第２の固定用治具に第１の固定用治具を固定することにより、立ちはぜである突条のＹ方向のピッチＰａと異なる任意のピッチで第１の固定用治具を立ちはぜ折板屋根の上に固定することが可能となる。固定しようとする緑化基盤材の取り付け孔のＹ方向のピッチＰ２に一致させて第１の固定用治具を固定しておくことにより、緑化基盤材を当該第１の固定用治具を用いて確実に固定することができる。
【００１７】
他端側も第１の固定用治具との間で固定位置を調整できるような形状とされている第２の固定用治具を用いることもできる（請求項４）。この場合には、第１の固定用治具のピッチ合わせが一層容易となる。
【００１８】
本発明の立ちはぜ折板屋根への緑化基盤材の固定構造において、突条に取り付けたクランプや第２の固定用治具が緑化基盤材の敷設に障害となる場合がある。それを回避するために、本発明は、さらに、上記の緑化基盤材の固定構造であって、立ちはぜ折板屋根には嵩上げ材が配置されており、第１の固定用治具は該嵩上げ材の上に配置されており、第２の固定用治具は、嵩上げ材が配置されない箇所において、一端を前記突条に固定したクランプに固定し、他端を第１の固定用治具に固定していることを特徴とする立ちはぜ折板屋根への緑化基盤材の固定構造、をも開示する（請求項５）。
【００１９】
この固定構造では、嵩上げ材の上に配置されている第１の固定用治具を利用して緑化基盤材が固定されるので、突条に取り付けたクランプや第２の固定用治具が緑化基盤材の底面にぶつかるのを効果的に回避できる。さらに、第１の固定用治具の取り付け状態も安定するので、緑化基盤材の固定そのものも一層安定する。
【００２０】
前記の態様において、嵩上げ材は、突条（立ちはぜ）に固定されているクランプを避けた状態で突条（立ちはぜ）の上に乗ることができるものであればよく、クランプの部分を切り欠いた（開孔部とした）、広い面積を持つ平板状の板材などであってもよい。この場合、嵩上げ材としては、軽量化の目的から、発泡樹脂製のものを用いることが望ましい。具体的には、発泡ポリスチレン、発泡ポリプロピレン、発泡ポリエチレン、発泡ウレタン、発泡塩化ビニルなどが挙げられる。発泡樹脂製でなく、非発泡合成樹脂製、木材製のようなものであってもよい。
【００２１】
嵩上げ材として、ブリキなどの薄い鉄板を箱状に曲げ加工して得る上面がフラットな棒状をなすパネル材や樹脂製もしくは鋼製の角パイプやチャンネル材なども用いることができる。この場合、嵩上げ材は立ちはぜ折板屋根の屋根勾配方向に直交する方向に配置する。その際に、嵩上げ材同士は隙間をおいて配置することが望ましく、その隙間を利用して、前記第２の固定用治具を取り付ける。
【００２２】
本発明は、また、上記した立ちはぜ折板屋根への緑化基盤材の固定構造により固定された緑化基盤材の上に植物が植生されていることを特徴とする立ちはぜ折板屋根緑化構造体をも開示する（請求項６）。植物を植生する態様は、従来知られた屋上緑化の場合と同様であってよい。緑化基盤材の中に土壌を敷いて、そこで植物を育成してもよいが、作業性などを考慮すると、従来知られた植裁マットを緑化基盤材の上に敷設する植生態様がより好ましい。この場合、植生基盤材は保水性と必要以上の水を流下する排水性を備えた基盤材であることが望ましく（請求項７）、その際に、植裁マットと植生基盤材との間には、好ましくは通気空間が形成される。
【００２３】
また、植生基盤材の上面に不織布を敷き、そこに根止め機能を持たせることも好ましい態様である。これにより、植物の根が屋根板に達するのを防止することができ、屋根板の不要な損傷を防止することができる。このような根止め機能を備えたシートを緑化基盤材の下面に敷設することによっても、屋根の損傷を防ぐことができる。
【００２４】
本発明による立ちはぜ折板屋根緑化構造体の他の態様では、植裁マットの上にネットがかけられ、そのネットは第１の固定用治具に取り付けたボルトを利用して留め付けられる（請求項８）。植裁マットの上にネットをかけることにより、風などで植物や土壌が飛散するのを防止でき、また、薄い土壌による植裁で植物が安定して、固定されにくい場合であっても、安定した固定効果が得られる。さらに、ネットをボルトを利用して留め付けることにより、ネットの飛散防止とともに、立ちはぜ折板屋根緑化構造体全体の安定性も向上する。
【００２５】
なお、上記の説明では、軒先方向であるＹ方向と直交する方向をＸ方向を屋根勾配方向と表現しているが、本発明において屋根がＸ方向に勾配が付いていることは必須でなく、発明の本質からいって、屋根は立ちはぜ折板屋根であればよく、それが勾配のない水平屋根の場合であっても本発明の範囲に含まれる。
【発明の効果】
【００２６】
本発明によれば、緑化基盤材を固定するのに利用されるボルトなどの部材を立ちはぜである突条を利用して安定的に立設することができる。また、緑化基盤材に形成される取り付け孔のＸ方向およびＹ方向のピッチＰ１，Ｐ２がどのようなものであっても、突条（立ちはぜ）を利用して立設したボルトを用いて立ちはぜ折板屋根の上に安定して取り付けることができる。そのために、安定した構造の屋上緑化構造体を立ちはぜ折板屋根の上に構築することができる。
【発明を実施するための最良の形態】
【００２７】
以下、図面を参照しながら、本発明を実施の形態に基づき説明する。図１は立ちはぜ折板屋根の一例を示し、図２はその立ちはぜである突条に固定するクランプを示している。図３は立ちはぜ折板屋根の上に固定する緑化基盤材を平面図で示している。図４は本発明の固定構造で用いる第１の固定用治具を示し、図５は第２の固定用治具を示す。図６は本発明による緑化基盤材の固定構造の一形態を説明する図であり、図７〜図９は図６に示した固定構造で固定された緑化基盤材を利用して作った立ちはぜ折板屋根緑化構造体を示している。図１０と図１１は本発明による緑化基盤材の固定構造の他の形態を説明するための図である。
【００２８】
前記しかつ図１に示すように、立ちはぜ折板屋根Ｒは、屋根勾配方向であるＸ方向に走る山形部１が軒先方向であるＹ方向に所定ピッチＰａで連続しており、該山形部１の頂部２には屋根板３を連接したときの丸みを持つ突条（立ちはぜ）４が屋根勾配方向に走っている。このような立ちはぜ折板屋根Ｒの上に緑化基盤材１０（図３参照）を固定して、本発明による立ちはぜ折板屋根緑化構造体とする。
【００２９】
図２はそこで用いるクランプ６０を示す。クランプ６０は、一定の横幅を持つ左右一対のクランプ片６１，６１で構成される。各クランプ片６１は、立ちはぜである突条４の下方領域を押さえ付ける挟持先端部６２と、そこに続く膨出部６３と、前記挟持先端部６２の先端位置とほぼ同じ垂直位置にある垂直部６４と、該垂直部６４の上端に位置する水平部６５とを有し、垂直部６４には左右のクランプ片６１、６１を一体に締め付けるときに用いるボルトのためのボルト孔６６が形成されている。また、水平部６５にも他部材を一体に固定するときに用いるボルトのためのボルト孔６７が形成されている。なお、ボルトナットを用いずにドリルビスを用いて固定する場合は、ボルト孔６６，６７を省略することができる。
【００３０】
前記膨出部６３の内面側の形状は、好ましくは立ちはぜである突条４の外郭形状に一致した形状であり、その大きさは、左右のクランプ片６１、６１を締め付けたときに突条４をわずかに圧縮して変形させるような大きさとされる。しかし、膨出部６３の内面側の形状は、左右のクランプ片６１、６１を締め付けたときに、その内周面が部分的に突条４に接触するような形状であっても差し支えない。
【００３１】
クランプ６０の固定に際しては、左右のクランプ片６１，６１の膨出部６３の間に突条４を挟み込んだ姿勢とし、双方の垂直部６４に形成したボルト孔６６にボトルを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。
【００３２】
そのようにして固定したクランプ６０を利用して、緑化基盤材１０を固定する。図示しないが、立ちはぜである突条４の必要箇所に複数個のクランプ６０を固定し、固定したクランプ６０の水平部６５に形成したボルト孔６７を利用してボルトを立設し、そのボルトに対して直接緑化基盤材１０を固定することもできる。しかし、前記したように、緑化基盤材１０には屋根勾配方向であるＸ方向と軒先方向であるＹ方向に所定ピッチ（Ｐ１，Ｐ２）で取り付け孔１１が形成されているのが普通であり、そのピッチＰ１，Ｐ２に一致するようにして、各突条４に多数のクランプ６０を固定していくことは、きわめて困難であり、またＹ方向に対しては不可能となることがある。
【００３３】
以下の実施の形態では、第１の固定用治具２０（図４）を用いることによってＸ方向のピッチ合わせを容易にし、第２の固定用治具３０（図５）を用いることによってＹ方向の任意のピッチ合わせを容易かつ可能としている。なお、突条４のＹ方向のピッチＰａの整数倍が緑化基盤材１０のＹ方向のピッチＰ２と一致する場合には、第２の固定用治具３０の使用を省略することもできる。
【００３４】
この例において、立ちはぜ折板屋根Ｒに固定する緑化基盤材Ａは、図３に示すように、実質的な正方形である単位緑化基盤材１０を複数枚組み付けて構成される。単位緑化基盤材１０は発泡樹脂の成形品であり、保水用空間１２と植裁マット支持体１３を有し、周壁部には互いに嵌合する接続用凹凸部１４が形成されている。各偶部には孔１１が形成されており、該孔１１は、接続用凹凸部１４を利用して隣接する単位緑化基盤材１０、１０を組み付けたときに、上下に連通する取り付け孔１１となる。この例では、複数枚の単位緑化基盤材１０を組み付けて緑化基盤材Ａとしたときに、前記各取り付け孔１１は、屋根勾配方向であるＸ方向ではピッチＰ１で配列しており、軒先方向であるＹ方向ではピッチＰ２で配列している。ピッチＰ１とピッチＰ２は同じであってもよく、異なっていてもよい。なお、緑化基盤材Ａは一枚物で作られていてもよいが、その場合でも、ピッチＰ１およびピッチＰ２で取り付け孔１１が形成される。図３には前記した第１の固定用治具２０も同時に示している。
【００３５】
第１の固定用治具２０は、図４に示すように、長尺状の金属板２１と、そこに固定的に立設した複数本のボルト２２からなり、ボルト２２の間隔（ピッチ）は、緑化基盤材Ａに形成した取り付け孔１１の屋根勾配方向であるＸ方向でのピッチＰ１と同じとされている。また、所要箇所には、後記するように、第２の固定用治具３０の他端側とボルトナット２５，２６（図６）を用いて固定するときに用いる穴２３が形成されている。なお、ボルトナット２５，２６を用いずにドリルビスを用いて固定する場合は、穴２３を省略することができる。
【００３６】
第２の固定用治具３０は、図５に示すように、長尺状の金属板３１であり、その両端には長孔３２が形成されている。なお、ボルトナットを用いずにドリルビスを用いて固定する場合は、長孔３２を省略することができる。なお、固定構造の形態に応じて、図５ａに示す単に平板状の第２の固定用治具３０ａと、図５ｂに示すに両端部の高さが違うようにされた第２の固定用治具３０ｂが選択的に用いられる。また、施工現場の状況などに応じて、図５ｃに示すように長さのより短い第２の固定用治具３０ｃを用いることもある。
【００３７】
施工に当たっては、図２に基づき説明したようにして、立ちはぜ折板屋根Ｒの一つの山形部１の立ちはぜ部である突条４に、前記した第１の固定用治具２０に形成されている穴２３のピッチで、クランプ６０を固定する。前記山形部１に隣接する山形部１であって、緑化基盤材１０のＹ方向のピッチＰ２にほぼ一致する箇所にある山形部１・・にも同様にしてクランプ６０を固定する。
【００３８】
次ぎに、図６に示すように、嵩上げ材として、固定したクランプ６０を避けることのできる開口４１を備えた発泡樹脂製板４０を、立ちはぜである突条４の上に敷設する。発泡樹脂製板４０の厚さは、突条４に固定したクランプ６０の高さを超える厚さとする。発泡樹脂製板４０の平面視での形状や大きさは任意であり、複数枚の発泡樹脂製板４０を寄せ集めて立ちはぜ折板屋根Ｒ上の必要とされる面積を覆うようにしてもよい。
【００３９】
敷き詰めた発泡樹脂製板４０の上であって、前記突条４に固定したクランプ６０の近傍に、所要本数の第１の固定用治具２０をＸ方向に向けて仮配置する。次ぎに、図５ａに示した平板状の第２の固定用治具３０ａの一端部を、そこに形成した長孔３２と既に固定されているクランプ６０の水平部６５に形成したボルト孔６７とに固定ボルト６８を通してナット６９を仮締めすることにより、クランプ６０側に仮固定する。
【００４０】
また、仮固定した第２の固定用治具３０ａの他方の端部に形成した長孔３２と、前記第１の固定用治具２０に形成した穴２３とにボルト２５を通し、ナット２６を仮締めすることにより、第２の固定用治具３０ａと第１の固定用治具２０とを仮固定する。同じことを、同じ山形部１上の突条４に固定した他のクランプ６０と第１と第２の固定用治具２０，３０との間でも行う。なお、図６では第２の固定用治具３０ａの下に第１の固定用治具２０を配置しているが、第２の固定用治具３０ａの上に第１の固定用治具２０を配置してもよい。
【００４１】
この状態では、第１の固定用治具２０はＸ方向とＹ方向の双方向にわずかに移動することができるので、施工現場での設計仕様に合わせて、所定の位置に第１の固定用治具２０を位置決めし、固定ボルト６８側のナット６９とボルト２５側のナット２６を締め込んで、第１の固定用治具２０の位置を固定する。なお、前記固定ボルト６８に係合する長孔３２のみで所要の位置合わせができる場合には、第２の固定用治具３０ａの他端側の長孔３２は円孔であってもよい。
【００４２】
この態様で、緑化基盤材Ａ（単位緑化基盤材１０）の裏面側が、第２の固定用治具３０および第１の固定用治具２０に衝接するのを避けなければならないので、前記部材が位置することとなる緑化基盤材Ａ（単位緑化基盤材１０）の裏面には、凹陥部１９が形成される。
【００４３】
側方に位置する２本目の第１の固定用治具２０に対しても、同じようにして位置決めと固定を行う。その際に、基準となる第１の固定用治具２０と２本目の第１の固定用治具２０との間隔は、緑化基盤材Ａに形成した取り付け孔１１の軒先方向であるＹ方向のピッチＰ２と同じになるように、２本目の第１の固定用治具２０の位置決めを行う。この位置調整は、前記したように、第２の固定用治具３０ａが両端に係止孔として長孔３２を有しており、そこでピッチの違いを吸収することができるので、可能となる。
【００４４】
必要本数の第１の固定用治具２０を同様にして立ちはぜ折板屋根Ｒの山形部１（立ちはぜである突条４）に対して固定していくことにより、敷設した発泡樹脂製板４０の上には、前記Ｘ方向にはピッチＰ１で、Ｙ方向にはピッチＰ２で、所要本数のボルト２２が固定的に立設した状態となる（図３も参照）。
【００４５】
立設したボルト２２・・・を利用し、単位緑化基盤材１０に形成した取り付け孔１１にボルト２２を貫通させながら、必要枚数の単位緑化基盤材１０を発泡樹脂製板４０の上に配置する。単位緑化基盤材１０から飛び出ているボルト２２にナット２８をネジ込むことにより、単位緑化基盤材１０は立ちはぜ折板屋根Ｒの上にしっかりと固定される。すべての単位緑化基盤材１０に対してナット２８による締め付けを行うことにより、図３に示すように、本発明による固定構造で固定された緑化基盤材Ａが立ちはぜ折板屋根Ｒの上に完成する。
【００４６】
図７〜図９は、図６に示す固定構造を用いて固定された緑化基盤材Ａを利用して作られた立ちはぜ折板屋根緑化構造体Ｂを示す。図７は立ちはぜ折板屋根Ｒの側方から見た図であり、図８は立ちはぜ折板屋根Ｒの軒先方向から見た図である。また、図９ａは固定構造の部分が現れるようにした立ちはぜ折板屋根Ｒの軒先方向から見た図であり、図９ｂは、図９ａに示す第１の固定用治具２０と第２の固定用治具３０との固定構造の部分のみを上から見て示している。なお、図７〜図９において、図６に示した部材と同じ部材には同じ符号を付し、固定構造についての説明は省略する。
【００４７】
図７に示すように、立ちはぜ折板屋根Ｒの軒先には前記Ｙ方向に軒先見切り材５０が取り付けられ、また、図８に示すように、その両側（図８には左側方のみが示される）には前記Ｘ方向に、すなわち山形部１に沿うようにして側縁見切り材５１が取り付けられる。見切り材５０，５１で区画された領域に、前記のようにして嵩上げ材としての発泡樹脂製板４０が敷設され、その上に、第１の固定用治具２０と第２の固定用治具３０を用いて単位緑化基盤材１０・・・が固定されて、緑化基盤材Ａとされている。
【００４８】
図９ｂに示すように、この例では、図５ａおよびｃに示した、長さの異なる第２の固定用治具３０ａ、３０ｃが用いられており、図で右側では、第１の固定用治具２０を固定するのに長さの長い第２の固定用治具３０ａを、左側では、第１の固定用治具２０を固定するのに長さの短い第２の固定用治具３０ｃ用いている。このように、立ちはぜ折板屋根Ｒの山形部１（立ちはぜである突条４）のピッチＰａと緑化基盤材ＡのＹ方向のピッチＰ２との関係で、異なった長さの第２の固定用治具が用いられる場合がある。
【００４９】
図示の例において、立ちはぜ折板屋根緑化構造体Ｂを組み立てるに当たり、嵩上げ材としての発泡樹脂製板４０と緑化基盤材Ａとの間に根止めシート５２を敷設して、植物の根により発泡樹脂製板４０や立ちはぜ折板屋根Ｒが損傷するのを防止している。また、固定された緑化基盤材Ａの上には土壌流出防止用の好ましくは根止め機能を備えた不織布５３を敷き、その上に、従来知られた適宜の植裁マット５４を配置している。図示しないが、植裁マット５４の上面に土壌の吹き飛び防止ネットを設置することは望ましく、該ネットを緑化基盤材Ａの固定に用いたボルト２２で固定することにより、立ちはぜ折板屋根緑化構造体Ｂ全体の安定化を図ることもできる。
【００５０】
このようにして構築した立ちはぜ折板屋根緑化構造体Ｂの上から散水すると、水は植裁マット５４を透過して緑化基盤材Ａの保水用空間１２に溜まり、その水は植裁マット５４に植生した植物５５の生育を助ける。また、雨水を含む余分な水は、緑化基盤材Ａをオーバーフローして流下する。
【００５１】
図示しないが、各単位緑化基盤材１０の中に植裁マット５４の下面に接する形のスポンジのように水分吸い上げ材を置くようにしてもよく、この場合、保水用空間１２の底部にある水を植裁マット５４に向けて吸い上げることができる利点がある。
【００５２】
図１０は本発明による固定構造の第２の形態を示している。ここでは、嵩上げ材として、発泡樹脂製板４０ではなく、鋼製の角パイプ４０Ａを用いている。角パイプ４０Ａの高さは、立ちはぜ折板屋根Ｒの山形部１に固定されるクランプ６０の高さよりも高く、該クランプ６０を避けるようにして、必要本数の角パイプ４０Ａが前記Ｙ方向に平行に所要の間隔をおいて配置されている。第２の固定用治具３０には、図５ｂに示した両端で高さの違う第２の固定用治具３０ｂを用いており、その一端をクランプ６０に固定し、他端を第１の固定用治具２０に固定している。配置した角パイプ４０Ａの上面を支持基盤として、第１の固定用治具２０が仮配置され、以下、図６に示したものと同じようにして、仮配置した第１の固定用治具２０をクランプ６０に対して所定位置に固定する。なお、同じ機能を奏する部材には同じ符号を付しており、その説明は省略する。なお、図１０では、第２の固定用治具３０ｂの下に第１の固定用治具２０を配置しているが、第２の固定用治具３０ｂの上に第１の固定用治具２０を配置してもよい。
【００５３】
図１１は本発明による固定構造の第３の形態を示しており、ここでは、嵩上げ材を用いずに、クランプ６０が固定されていない山形部１の突条（立ちはぜ）４を支持基盤として緑化基盤材Ａ（単位緑化基盤材１０）が配置されている。ここでは、第２の固定用治具３０に第２の固定用治具３０ａを用い、その一端をクランプ６０に固定し、他端を第１の固定用治具２０に固定している。この態様でも、緑化基盤材Ａ（単位緑化基盤材１０）の裏面側が、クランプ６０，第２の固定用治具３０および第１の固定用治具２０に衝接するのを避けなければならないので、前記部材が位置することとなる緑化基盤材Ａ（単位緑化基盤材１０）の裏面には凹陥部１９が形成される。この形態でも、仮配置された第１の固定用治具２０を山形部３に対して所定位置に固定する手順と方法は、図６に示したものと同じであり、同じ機能を奏する部材には同じ符号を付し、説明は省略する。なお、図１１では第２の固定用治具３０ａの下に第１の固定用治具２０を配置しているが、第２の固定用治具３０ａの上に第１の固定用治具２０を配置してもよい。
【００５４】
図１０に示す第２の形態および図１１に示す第３の形態で固定されたそれぞれの緑化基盤材Ａに対して、前記図７〜図９に示したと同様にして立ちはぜ折板屋根緑化構造体Ｂを構築できることはもちろんである。また、いずれの形態においても、第１の固定用治具２０や嵩上げ材４０，４０Ａを接着剤や両面粘着テープなどで一時的に仮固定しておくことは、事後の作業を円滑に行うのに望ましい。
【００５５】
上記したクランプ６０を用いて、図７に示した軒先見切り材５０を安定的に立ちはぜ折板屋根に対して取り付けることもできる。最初に、軒先見切り材５０を取り付けようとする山形部１の位置に、軒先に平行に必要個数のクランプ６０を、図２で説明したと同様にして固定する。すべての山形部１に固定してもよく、何本か間をおいて固定してもよい。
【００５６】
固定したクランプ６０の前記水平部６５の上に、図１２に示すように、垂直板７１と水平板７２とからなるＬ型支持板７０を、ボルト孔６７を利用してボルトナットで固定する。その際に、好ましくは、Ｌ型支持板７０の垂直板７１の面と各クランプ片６１，６１の軒先見切り材５０側の面が同一の面となるようにして固定する。必要な場合には、固定したＬ型支持板７０の垂直板７１に所要の大きさの受け板（不図示）をさらに固定する。このようにして立ちはぜである突条４に固定したＬ型支持板７０（あるいは受け板）を背圧支持材として、軒先見切り材５０を置いていくことにより、容易にかつ安定した姿勢で軒先見切り材５０を立ちはぜ折板屋根の上に固定することができる。
【００５７】
なお、本発明による立ちはぜ折板屋根緑化構造体において、上記のようにして固定した軒先見切り材５０あるいは側縁見切り材５１（図７、８参照）と緑化基盤材Ａとの間をシーリング剤により目地処理することは望ましく、それにより、土壌や水が流出するのを防止することができる。また、図示しないが、クランプ片６１の挟持先端部６２の先端を立ちはぜである突条４の下方の形状に沿う湾曲した形状とすることは望ましい。それにより、クランプ片６１と突条４との接触面積をより大きくすることができ、クランプ６０の固定状態をさらに安定させることができる。
【図面の簡単な説明】
【００５８】
【図１】立ちはぜ折板屋根の一例を示す斜視図（図１ａ）と屋根板を示す断面図（図１ｂ）。
【図２】立ちはぜである突条に固定するクランプと該クランプが突条に固定された状態を説明するための図。
【図３】立ちはぜ折板屋根の上に固定する緑化基盤材の一例を示す平面図。
【図４】本発明の固定構造で用いる第１の固定用治具を示す図。
【図５】本発明の固定構造で用いる第２の固定用治具を示す図。
【図６】本発明による緑化基盤材の固定構造の一態様を説明する図。
【図７】図６に示した固定構造で固定された緑化基盤材を利用して作った立ちはぜ折板屋根緑化構造体の一例を立ちはぜ折板屋根の側方から見て示す図。
【図８】図７に示す立ちはぜ折板屋根緑化構造体を立ちはぜ折板屋根の軒先方向から見て示す図。
【図９】図９ａは固定構造の部分が現れるようにした立ちはぜ折板屋根Ｒの軒先方向から見た図であり、図９ｂは図９ａに示す第１の固定用治具と第２の固定用治具との固定構造の部分のみを上から見て示している。
【図１０】本発明による緑化基盤材の固定構造の他の態様を説明する図。
【図１１】本発明による緑化基盤材の固定構造のさらに他の態様を説明する図。
【図１２】本発明によるクランプを用いて軒先見切り材を固定する状態を説明する図。
【図１３】立ちはぜ折板屋根にボルトを固定するのに用いられる従来の固定具を説明するための図。
【符号の説明】
【００５９】
Ｒ…立ちはぜ折板屋根、Ａ…緑化基盤材、Ｂ…立ちはぜ折板屋根緑化構造体、Ｐａ…山形部のピッチ、Ｘ…屋根勾配方向、Ｙ…軒先方向、１…山形部、２…山形部の頂部、３…屋根板、４…突条（立ちはぜ）、１０…単位緑化基盤材、１２…保水用空間、１３…植裁マット支持体、１４…接続用凹凸部、１１…取り付け孔、１９…緑化基盤材の裏面の裏面形成される凹陥部、Ｐ１…取り付け孔のＸ方向のピッチ、Ｐ２…取り付け孔のＹ方向のピッチ、２０…第１の固定用治具、２１…長尺状の金属板、２２…ボルト、２３…固定用穴、３０…第２の固定用治具、３１…長尺状の金属板、３２…長孔、４０…嵩上げ材としての発泡樹脂製板、４１…開口、４０Ａ…嵩上げ材としての角パイプ、５０軒先見切り材、５１…側縁見切り材、５２…根止めシート、５３…不織布、５４…植裁マット、５５…植物、６０…クランプ、６１…左右一対のクランプ片、６２…挟持先端部、６３…膨出部、６４…垂直部、６５…水平部
【図１】
2007332603.tif 000003
【図２】
2007332603.tif 000004
【図３】
2007332603.tif 000005
【図４】
2007332603.tif 000006
【図５】
2007332603.tif 000007
【図６】
2007332603.tif 000008
【図７】
2007332603.tif 000009
【図８】
2007332603.tif 000010
【図９】
2007332603.tif 000011
【図１０】
2007332603.tif 000012
【図１１】
2007332603.tif 000013
【図１２】
2007332603.tif 000014
【図１３】
2007332603.tif 000015